(57)【要約】【課題】  複数の表示装置のうち遠隔制御対象の表示装置を容易に変更することができる表示システムを提供する。【解決手段】  表示装置２は、レーザ光検出部１５がリモートコントローラ２０から出射されたレーザ光を検出したときにのみ、受光部８で受信した命令情報に基づく命令内容を実行する。ユーザは、リモートコントローラ２０から、レーザ光を出射させて、レーザ光検出部１５に検出させることで、その表示装置２にのみ命令内容を実行させることができる。ユーザは、遠隔制御対象としたい表示装置に、レーザ光を照射させるだけでよいので、複数の表示装置のうち遠隔制御対象の表示装置を、容易に変更することができる。【選択図】      図２
2013258615.tif 000002
【特許請求の範囲】
【請求項１】
互いに通信可能に接続された複数の表示装置と、無線通信によって表示装置に対して命令情報を送信する遠隔制御装置とを有する表示システムであって、
前記遠隔制御装置は、
命令内容を入力する入力手段と、
入力された命令内容に応じた命令情報を、無線通信によって表示装置に送信する送信手段と、
指向性を有する電磁波を出射する出射手段と、を備え、
前記表示装置は、
画像を表示する表示面を有する表示手段と、
他の表示装置と有線通信を行う有線通信手段と、
前記遠隔制御装置の送信手段から送信される命令情報を、無線通信によって受信する受信手段と、
前記遠隔制御装置の出射手段から出射された電磁波を検出する検出手段と、
前記検出手段が電磁波を検出すれば、受信した命令情報に基づく命令内容を実行し、電磁波を検出しなければ、受信した命令情報に基づく命令内容を実行しない制御手段と、を備えることを特徴とする表示システム。
【請求項２】
前記検出手段は、前記表示手段の表示面に、前記遠隔制御装置の出射手段から出射された電磁波が照射されたことを検出可能に設けられることを特徴とする請求項１記載の表示システム。
【請求項３】
前記遠隔制御装置は、前記出射手段に前記電磁波の出射を指示する出射指示手段をさらに備えることを特徴とする請求項１または２記載の表示システム。
【請求項４】
前記遠隔制御装置は、前記送信手段に前記命令情報の送信を指示するとともに、前記出射手段に前記電磁波の出射を指示する一括指示手段をさらに備えることを特徴とする請求項１または２記載の表示システム。
【発明の詳細な説明】
【技術分野】
【０００１】
本発明は、複数の表示装置が接続された表示システムに関する。
【背景技術】
【０００２】
マルチディスプレイシステムは、複数の表示装置を一列状、マトリクス状などに配置し、１つの画像を分割して表示したり、それぞれの表示装置に表示される画像を連動させたりすることで様々な表示態様に適用可能とする表示システムである。
【０００３】
複数の表示装置を接続する接続方式には、中心となる装置に他の装置が接続し、中心となる装置が他の装置を一括で制御するいわゆるスター接続方式、複数の装置が直列接続し、最上流の装置から下流の装置へと順次制御コマンドを出力するいわゆるデイジーチェーン接続方式などがある。
【０００４】
このような表示システムにおいて、たとえば、各表示装置の画質調整などを行う場合、中心となる装置または最上流の装置に対して調整用のコマンドを入力し、調整の対象となる表示装置の画質調整を行う。
【０００５】
調整用コマンドの入力は、中心となる装置または最上流の装置に有線接続した入力装置から入力してもよいが、赤外線などを利用した無線通信によって入力する遠隔制御用のコマンド入力装置、いわゆるリモートコントローラを用いるほうが、使い勝手がよい。
【０００６】
表示システムは、同じ仕様の表示装置を複数使用するので、リモートコントローラでコマンド入力しようとした場合、コマンドの制御対象となる表示装置のみにコマンド入力することが困難である。リモートコントローラから出射される赤外線は、所定の角度で広がりながら空気中を伝播するので、表示装置の赤外線受光部が近い距離に複数存在すると、出射される赤外線は、複数の受光部で受光され、複数の表示装置に同じコマンドが入力されてしまう。
【０００７】
さらに、表示装置の数が増えると、全体の状態に合わせて個々の表示装置を調整する必要があり、全体を見渡すためには、表示装置から離れて全体を確認しながら調整する必要がある。しかし、表示装置から離れると、赤外線の有効範囲が広がり、さらに多くの表示装置に同じコマンドが入力されてしまう。
【０００８】
制御対象となる表示装置のみにコマンド入力しようとすると、リモートコントローラを制御対象の表示装置に近づけ、赤外線の有効範囲内に制御対象の表示装置のみが含まれるようにしてリモートコントローラを操作しなければならない。
【０００９】
また、制御対象となる表示装置以外の表示装置の受光部を遮蔽することで、離れてリモートコントローラを操作しても、制御対象の表示装置の受光部のみが赤外線を受光できるように構成することもできる。
【００１０】
特許文献１記載の表示装置は、マルチディスプレイにおいて、複数の表示装置で１つの画像を拡大表示する際に、拡大された画像のうちの所定の領域を表示する表示装置については、リモコンからの制御信号を受信できるように構成されている。
【先行技術文献】
【特許文献】
【００１１】
【特許文献１】特開２００６−３３７４８２号公報
【発明の概要】
【発明が解決しようとする課題】
【００１２】
特許文献１記載の表示装置は、複数の表示装置のうちの１つの表示装置のみがリモートコントローラからの制御信号を受信することができるが、制御信号を受信する表示装置は、所定の領域を表示する表示装置に限られ、制御対象の表示装置を容易に変更することができない。
【００１３】
本発明の目的は、複数の表示装置のうち遠隔制御対象の表示装置を容易に変更することができる表示システムを提供することである。
【課題を解決するための手段】
【００１４】
本発明は、互いに通信可能に接続された複数の表示装置と、無線通信によって表示装置に対して命令情報を送信する遠隔制御装置とを有する表示システムであって、
前記遠隔制御装置は、
命令内容を入力する入力手段と、
入力された命令内容に応じた命令情報を、無線通信によって表示装置に送信する送信手段と、
指向性を有する電磁波を出射する出射手段と、を備え、
前記表示装置は、
画像を表示する表示面を有する表示手段と、
他の表示装置と有線通信を行う有線通信手段と、
前記遠隔制御装置の送信手段から送信される命令情報を、無線通信によって受信する受信手段と、
前記遠隔制御装置の出射手段から出射された電磁波を検出する検出手段と、
前記検出手段が電磁波を検出すれば、受信した命令情報に基づく命令内容を実行し、電磁波を検出しなければ、受信した命令情報に基づく命令内容を実行しない制御手段と、を備えることを特徴とする表示システムである。
【００１５】
また本発明は、前記検出手段は、前記表示手段の表示面に、前記遠隔制御装置の出射手段から出射された電磁波が照射されたことを検出可能に設けられることを特徴とする。
【００１６】
また本発明は、前記遠隔制御装置は、前記出射手段に前記電磁波の出射を指示する出射指示手段をさらに備えることを特徴とする。
【００１７】
また本発明は、前記遠隔制御装置は、前記送信手段に前記命令情報の送信を指示するとともに、前記出射手段に前記電磁波の出射を指示する一括指示手段をさらに備えることを特徴とする。
【発明の効果】
【００１８】
本発明によれば、表示システムが、互いに通信可能に接続された複数の表示装置と、無線通信によって表示装置に対して命令情報を送信する遠隔制御装置とを有している。
【００１９】
前記遠隔制御装置では、入力手段によって命令内容が入力されると、入力された命令内容に応じた命令情報を、送信手段が、無線通信によって表示装置に送信する。また、出射手段は、指向性を有する電磁波を出射するように構成される。
【００２０】
前記表示装置では、表示手段が、表示面に画像を表示するように構成され、有線通信手段によって、他の表示装置と有線通信を行うことができる。
【００２１】
受信手段は、前記遠隔制御装置の送信手段から送信される命令情報を、無線通信によって受信し、検出手段は、前記遠隔制御装置の出射手段から出射された電磁波を検出する。制御手段は、前記検出手段が電磁波を検出すれば、受信した命令情報に基づく命令内容を実行し、電磁波を検出しなければ、受信した命令情報に基づく命令内容を実行しない。
【００２２】
表示装置は、検出手段が電磁波を検出したときにのみ、受信した命令情報に基づく命令内容を実行する。ユーザは、遠隔制御装置から、指向性を有する電磁波を出射させて、表示装置の検出手段に検出させることで、その表示装置にのみ命令内容を実行させることができる。したがって、ユーザは、遠隔制御対象としたい表示装置に、電磁波を照射させるだけでよいので、複数の表示装置のうち遠隔制御対象の表示装置を、容易に変更することができる。
【００２３】
また本発明によれば、前記検出手段は、前記表示手段の表示面に、前記遠隔制御装置の出射手段から出射された電磁波が照射されたことを検出可能に設けられる。
【００２４】
本発明の表示システムには、表示画面が比較的大型のものが用いられるので、ユーザは大型の表示面を、電磁波照射の標的とすることができ、操作が容易になる。
【００２５】
また本発明によれば、前記遠隔制御装置は、前記出射手段に前記電磁波の出射を指示する出射指示手段をさらに備える。
【００２６】
表示装置に電磁波を検出させるために、電磁波を出射させたい場合は、出射指示手段を操作し、電磁波を出射させる必要が無い場合は、出射指示手段を操作しないなど、ユーザによって、電磁波を出射させるかどうかを適宜制御することができる。
【００２７】
また本発明によれば、前記遠隔制御装置は、前記送信手段に前記命令情報の送信を指示するとともに、前記出射手段に前記電磁波の出射を指示する一括指示手段をさらに備える。
【００２８】
ユーザは、一括指示手段を操作するだけで、命令情報を送信させ、電磁波を出射させることができるので、ユーザの操作に要する負担を軽減することができる。
【図面の簡単な説明】
【００２９】
【図１】表示システム１の構成を示す概略図である。
【図２】表示装置２の構成を示すブロック図である。
【図３】リモートコントローラ２０の構成を示すブロック図である。
【図４】リモートコントローラ２０の外観図である。
【図５】レーザ光検出部１５の概略を説明するための模式図である。
【図６】表示装置２による命令実行処理を示すフローチャートである。
【発明を実施するための形態】
【００３０】
本実施形態における表示システムは、複数の表示装置が直列接続、いわゆるデイジーチェーン接続され、予め定める命令情報が、上流側に接続されている表示装置から下流側に接続されている表示装置へと出力され、命令情報が上流側の表示装置から入力された表示装置は、さらに下流側の表示装置へ命令情報を出力するマルチディスプレイシステムである。なお、本発明は、デイジー接続方式だけではなく、スター接続方式であっても適用可能である。
【００３１】
表示装置間は、有線接続されており、たとえばＲＳ−２３２Ｃ規格のケーブル（以下では「ＲＳ−２３２Ｃケーブル」または単に「ケーブル」という。）を用いて接続される。ＲＳ−２３２Ｃケーブルは、表示装置に備えられる信号入力用のケーブル接続コネクタ（以下では「入力コネクタ」という。）か、信号出力用のケーブル接続コネクタ（以下では「出力コネクタ」という。）に接続される。直列接続の場合、ＲＳ−２３２Ｃケーブルの一方が、上流側の表示装置の出力コネクタに接続され、他方が下流側の表示装置の入力コネクタに接続される。
【００３２】
上流側の表示装置に入力された命令情報は、その命令情報を示す電気信号として、上流側の表示装置の出力コネクタから出力され、ＲＳ−２３２Ｃケーブルを介して下流側の表示装置の入力コネクタに入力される。
【００３３】
図１は、表示システム１の構成を示す概略図である。
表示システム１は、複数の表示装置２，３，４，５、ＲＳ−２３２Ｃケーブル６およびリモートコントローラ２０を含んで構成される。複数の表示装置２，３，４，５は、ＲＳ−２３２Ｃケーブル６を介して直列的に接続されている。表示装置２が、最上流に配置される表示装置であり、下流に向かって順に表示装置３、表示装置４、表示装置５が接続されている。
【００３４】
リモートコントローラ２０は、表示システム１を構成する全ての表示装置に対して、赤外線通信などの無線通信により、命令情報を含む各種制御情報を送信することができる。最上流の表示装置２の入力コネクタには、ＲＳ−２３２Ｃケーブル６が接続されておらず、出力コネクタには、ＲＳ−２３２Ｃケーブル６が接続されている。表示装置２の出力コネクタに接続されたＲＳ−２３２Ｃケーブル６は、表示装置２より１つ下流側の表示装置３の入力コネクタに接続されている。表示装置３の出力コネクタに接続されたＲＳ−２３２Ｃケーブル６は、表示装置３より１つ下流側の表示装置４の入力コネクタに接続されている。表示装置４の出力コネクタに接続されたＲＳ−２３２Ｃケーブル６は、表示装置４より１つ下流側の表示装置５の入力コネクタに接続されている。
【００３５】
さらに、本実施形態におけるリモートコントローラ２０は、表示装置２〜４のうち、遠隔制御対象の１つの表示装置を特定するために、指向性を有する電磁波であるレーザ光を出射する。ユーザが、リモートコントローラ２０を遠隔制御対象の表示装置に向けて操作することで、レーザ光が遠隔制御対象の表示装置に照射され、表示装置は、レーザ光が照射されたことを検出して、自らが遠隔制御対象であることを認識する。遠隔制御対象であることを認識した表示装置は、リモートコントローラ２０から受信した命令情報に基づく命令内容を実行する。遠隔制御対象であることを認識していない表示装置、すなわちレーザ光を検出していない表示装置は、リモートコントローラ２０から命令情報を受信していても、命令内容を実行しない。
【００３６】
これにより、マルチディスプレイシステムを構成する複数の表示装置において、遠隔制御の表示装置を変更したいときに、変更したい表示装置にリモートコントローラから出射されるレーザ光を照射するだけでよいので、遠隔制御対象の表示装置を容易に変更することができる。
【００３７】
図２は、表示装置２の構成を示すブロック図である。表示装置２，３，４，５は全て同じ仕様の表示装置であり、構成は同じであるので、図２には、表示装置２の構成を一例として示している。
【００３８】
表示装置２は、表示器７、受光部８、映像信号入力コネクタ９、入力コネクタ１０、入力用ＲＳ−２３２Ｃインターフェイス１１、出力コネクタ１２、出力用ＲＳ−２３２Ｃインターフェイス１３、メモリ１４、レーザ光検出部１５および制御部１６を含んで構成される。
【００３９】
表示器７は、液晶表示パネル、プラズマ表示パネル、有機ＥＬ表示パネルなど画像データを表示する表示パネルである。受光部８は、リモートコントローラ２０から送信される赤外線などの無線通信用電波を受光する。映像信号入力コネクタ９は、表示器７に表示させる画像データを入力するために、映像信号ケーブルと接続する。入力コネクタ１０は、ＲＳ−２３２Ｃケーブル６が接続するコネクタである。入力用ＲＳ−２３２Ｃインターフェイス１１（以下では「入力インターフェイス」という。）は、入力コネクタ１０に接続されたＲＳ−２３２Ｃケーブル６から入力される電気信号に基づいて、入力された情報を制御部１６へと出力する。出力コネクタ１２は、ＲＳ−２３２Ｃケーブル６が接続するコネクタである。出力用ＲＳ−２３２Ｃインターフェイス１３（以下では「出力インターフェイス」という。）は、制御部１６から出力される情報に基づいて、出力コネクタ１２に接続されたＲＳ−２３２Ｃケーブル６に電気信号を出力する。
【００４０】
メモリ１４は、ＯＳＤ（On Screen Display）情報、ケーブル接続情報などの各種情報、および画像データを表示するための表示制御プログラム、命令内容を実行するための実行制御プログラムなど各種動作制御プログラムが記憶される。
【００４１】
レーザ光検出部１５は、リモートコントローラ２０から出射されたレーザ光を検出する。レーザ光検出部１５は、たとえば、光センサなどからなり、検出すべきレーザ光の波長などに応じて適切な光センサを設ければよい。
【００４２】
制御部１６は、表示制御回路およびＯＳＤ回路などが集積され、メモリ１４に記憶されている動作制御プログラムに基づいて表示装置全体の動作を制御する。
【００４３】
図３は、リモートコントローラ２０の構成を示すブロック図である。リモートコントローラ２０は、操作部２１、制御信号送信部２２、レーザ光出射部２３、メモリ２４および制御部２５を含んで構成される。
【００４４】
操作部２１は、電源キー、カーソルキーおよび複数の機能キーなどを含み、ユーザが操作することで、設定変更命令、入力切換命令などの命令内容を入力することができる。制御信号送信部２２は、入力された命令内容に応じた命令情報を、赤外線通信などの無線通信によって表示装置に送信する。表示装置２の受光部８は、この制御信号送信部２２から送信された命令情報を受信する。
【００４５】
レーザ光出射部２３は、指向性を有する電磁波であるレーザ光を出射するものであって、遠隔制御対象の表示装置に対してレーザ光を出射する。メモリ２４は、操作部２１の各キーと、各キーに割り当てられた命令内容を表す命令情報（命令コード）とを関連付けて記憶し、リモートコントローラ２０全体の動作を制御するための動作プログラムを記憶する。制御部２５は、メモリ２４に記憶された動作プログラムに基づいて、命令コードの送信などリモートコントローラ２０の動作を制御する。
【００４６】
レーザ光出射部２３は、たとえば、レーザポインタのように、出射した光を比較的小さなスポットに集束させ、２つ以上の表示装置に対して照射することなく、１つの表示装置にのみレーザ光を照射することが可能な構成となっている。具体的には、ＪＩＳ  Ｃ  ６８０２：２０１１にてクラス１またはクラス２に分類されるレーザ製品であって、赤色レーザ光または緑色レーザ光を出射する半導体レーザなどを用いることができる。
【００４７】
表示装置２のレーザ光検出部１５は、リモートコントローラ２０のレーザ光出射部２３から出射されたレーザ光を検出し、制御部２５は、レーザ光検出部１５がレーザ光を検出すれば、受光部８で受信した命令情報に基づく命令内容を実行し、レーザ光を検出しなければ、受光部８で命令情報を受信しても命令内容は実行しない。
【００４８】
制御対象を表示装置２として、表示装置２に対してリモートコントローラ２０から命令情報を送信する際に、リモートコントローラ２０から表示装置２にレーザ光が照射されていれば、表示装置３，４，５の少なくともいずれかがリモートコントローラ２０から送信される無線通信用電波の到達範囲内に位置していたとしても、表示装置３，４，５には、レーザ光が照射されていないので、表示装置３，４，５は命令内容を実行しない。
【００４９】
表示装置３，４，５を遠隔制御の対象として切り替えたい場合は、リモートコントローラ２０から出射されるレーザ光を切り替えたい表示装置に照射して命令情報を送信すればよい。
【００５０】
図４は、リモートコントローラ２０の外観図である。図４（ａ）は平面図を示し、図４（ｂ）は正面図を示す。リモートコントローラ２０の基本的な構成は既存のものと同様である。操作部２１として、電源のオン、オフに関する命令情報を入力するための電源キー２１０、画質調整などＯＳＤに基づく設定を行うためのメニューキー２１１、数値および項目の変更を行うためのカーソルキー２１２、制御対象指定機能のオン、オフを切り替えるための切り替えキー２１３などの各種キーを備え、これらのキーが操作されると、操作されたキーに応じた命令情報は、赤外線通信によって送信される。
【００５１】
正面図に示すように、制御信号送信部２２およびレーザ光出射部２３は、出射口がいずれもリモートコントローラ２０の先端側にあって、リモートコントローラ２０の先端を向けた方向に向かって、制御信号が送信され、レーザ光が出射される。
【００５２】
制御対象の表示装置を指定するための機能、すなわちレーザ光出射部２３からレーザ光を出射する機能を有効とするかどうかは、切り替えることができ、切り替えキー２１３をオフにすると、レーザ光出射部２３からレーザ光を出射しないようにし、切り替えキー２１３をオンにすると、レーザ光出射部２３からレーザ光を出射するようにする。
【００５３】
また、操作部２１の各キーは、たとえばユーザによって１度操作されると、命令内容が入力され、入力された命令内容に応じた命令情報を制御信号送信部２２から送信する。すなわち、操作部２１の操作は、命令内容の入力と、命令情報の制御信号送信部２２からの送信の指示とを兼ねている。
【００５４】
さらに、本実施形態では、ユーザによって操作部２１の各キーが操作されると、命令情報を制御信号送信部２２から送信するとともに、レーザ光出射部２３からレーザ光を出射する。ユーザは、操作部２１の各キーを１度操作するだけで、命令情報を制御信号送信部２２から送信し、送信した命令情報を実行させたい遠隔制御対象の表示装置にレーザ光を照射することができる。
【００５５】
他の実施形態として、命令情報を制御信号送信部２２から送信させることなく、レーザ光出射部２３からのレーザ光の出射のみを指示するための出射キーを操作部２１のキーとして備えていてもよい。ユーザが、出射キーを操作すると、一定時間レーザ光出射部２３からレーザ光が出射されるので、レーザ光を遠隔制御対象の表示装置に向けて出射し、続いてユーザが操作部２１の各キーを操作して、命令内容の入力と命令情報の制御信号送信部２２からの送信を行えばよい。
【００５６】
図５は、レーザ光検出部１５の概略を説明するための模式図である。表示装置２に対してリモートコントローラ２０から出射されたレーザ光が、１つの表示装置のみで検出できるように構成されていれば、レーザ光検出部１５はどのような構成でもよいが、たとえば、表示器７の表示画面７ａを検出対象領域として、リモートコントローラ２０から出射されたレーザ光が、表示画面７ａに照射されたことを検出する。
【００５７】
図５に示すように、表示器７の表示画面７ａを検出対象とするために、レーザ光検出部１５を４つのセンサ１５０で構成し、各センサ１５０をベゼル内またはベゼル上で、表示画面７ａの４つの出隅部に設ける。それぞれのセンサ１５０は、検出領域が表示画面７ａを捉えるように、内向きに設けられる。
【００５８】
レーザ光出射部２３から出射されたレーザ光が表示画面７ａに照射されると、出射されたレーザ光によって表示画面７ａの表面にレーザスポット１５１が形成される。センサ１５０は、表示画面７ａの表面に、レーザスポット１５１が形成されると、これを検出する。
【００５９】
なお、レーザ光検出部１５を構成するセンサ１５０の数は４つである必要はなく、センサ１５０の検出領域が、表示画面７ａ全体をカバーできれば、いくつであってもよい。
【００６０】
図６は、表示装置２による命令実行処理を示すフローチャートである。
ステップＳ１では、レーザ光検出部１５を構成するセンサ１５０のうち、第１センサが表示画面７ａの表面に照射されたレーザ光を検出したかどうかを判断する。第１センサがレーザ光を検出していれば、ステップＳ４に進み、検出していなければステップＳ２に進む。
【００６１】
ステップＳ２では、レーザ光検出部１５を構成するセンサ１５０のうち、第２センサが表示画面７ａの表面に照射されたレーザ光を検出したかどうかを判断する。第２センサがレーザ光を検出していれば、ステップＳ４に進み、検出していなければステップＳ３に進む。
【００６２】
ステップＳ３では、レーザ光検出部１５を構成するセンサ１５０のうち、第ｎセンサが表示画面７ａの表面に照射されたレーザ光を検出したかどうかを判断する。第ｎセンサがレーザ光を検出していれば、ステップＳ４に進み、検出していなければ、ステップＳ１１で、自装置が遠隔制御対象に指定された装置ではないと判断して待機する。
【００６３】
ステップＳ４では、自装置が遠隔制御対象に指定された装置であると判断してステップＳ５に進む。なお、ステップＳ３では、第ｎセンサがレーザ光を検出したかどうかを判断するものとしている。ここで、ｎ（ｎ＞２の整数）は、レーザ光検出部１５を構成するセンサ１５０の数である。図示はしていないが、ステップＳ１、Ｓ２のような各判断は、センサの数と同じだけ行われる。
【００６４】
全てのセンサについて、レーザ光を検出したかどうかを判断して、センサが１つでもレーザ光を検出していれば、自装置が遠隔制御対象に指定された装置であると判断し、全てのセンサがレーザ光を検出していなければ、自装置が遠隔制御対象に指定された装置ではないと判断している。
【００６５】
ステップＳ５では、受光部８が、赤外線通信によって制御信号を受光したかどうかを判断する。受光部８が、制御信号を受光していればステップＳ６に進み、制御信号を受光していなければステップＳ１に戻る。
【００６６】
ステップＳ６では、受光した制御信号に基づいて、制御部１６が、命令内容を表す命令コードを受信する。ステップＳ７では、受信した命令コードが有効なコードであるかどうかを判断する。具体的には、受信した命令コードが、たとえば（財）家電製品協会で制定されたリモコンフォーマットにおける会社コード、事業部コードであって、これらのコードが予め登録されている該当製品のコードと一致し、リモートコントローラ２０に搭載されている有効なキーのコードであれば、有効なコードであると判断し、受信した命令コードがそれ以外のコードであれば、無効なコードであると判断する。受信した命令コードが有効なコードであれば、ステップＳ８に進み、受信した命令コードが無効なコードであれば、ステップＳ１に戻る。
【００６７】
ステップＳ８では、制御部１６は、受信した有効な命令コードを、メモリ１４の受信バッファに一時的に格納する。ステップＳ９では、制御部１６は、メモリ１４の受信バッファに格納した命令コードを読み出して取得する。
【００６８】
ステップＳ１０では、制御部１６が、取得した命令コードに基づいて命令内容を解釈し、命令内容を実行する。
【００６９】
赤外線通信は消費電力が低く、送受信装置も小型化が容易なために、表示装置などの遠隔制御信号を送受信するための無線通信としてよく用いられるが、送信するデータ容量が小さいために、制御信号としては命令内容をコード化したものを送受信することになる。
【００７０】
受信する表示装置２側では、取得した命令コードから具体的な命令内容を解釈し、命令内容を実行することになる。
【００７１】
取得した命令コードと命令内容とが、予め関連付けられたテーブルなどをメモリ１４に記憶しておき、命令コードを取得したときにこのテーブルを参照して、命令コードを具体的な命令内容に変換してから命令内容を実行する。
【符号の説明】
【００７２】
１      表示システム
２，３，４，５      表示装置
６      ＲＳ−２３２Ｃケーブル
７      表示器
７ａ    表示画面
８      受光部
９      映像信号入力コネクタ
１０    入力コネクタ
１１    入力用ＲＳ−２３２Ｃインターフェイス
１２    出力コネクタ
１３    出力用ＲＳ−２３２Ｃインターフェイス
１４    メモリ
１５    レーザ光検出部
１６    制御部
２０    リモートコントローラ
２１    操作部
２２    制御信号送信部
２３    レーザ光出射部
２４    メモリ
２５    制御部
１５０  センサ
１５１  レーザスポット
２１０  電源キー
２１１  メニューキー
２１２  カーソルキー
２１３  切り替えキー
【図２】
2013258615.tif 000003
【図３】
2013258615.tif 000004
【図６】
2013258615.tif 000005
【図１】
2013258615.tif 000006
【図４】
2013258615.tif 000007
【図５】
2013258615.tif 000008